(57)【特許請求の範囲】
【請求項１】
１台の駆動モータと、円盤状の非磁性体でなる複数個の水平回転体と、各水平回転体に配置した複数個の永久磁石と、各水平回転体の上方に設けられた反応容器収納部とを有し、前記反応容器収納部に収納される反応容器内に入れられたマグネット撹拌子を、前記駆動モータにより各水平回転体を同期回転させることにより、前記永久磁石に従動させて前記反応容器内の液体を撹拌する撹拌機において、前記各水平回転体の２つのピッチ円上のうち、内側のピッチ円上に、磁極を中心方向に向けた永久磁石を等間隔で、かつ、隣接する永久磁石は磁極の向きを交互に入れ替えて配置し、外側のピッチ円上に、磁極を周方向に向けた永久磁石を、前記内側のピッチ円上に配置した永久磁石の間に等間隔で、かつ、磁極の向きを交互に入れ替えて配置して、前記複数の永久磁石のそれぞれの磁束線方向の位相角を一定量づつ変えて配置するとともに、前記反応容器収納部には、前記水平回転体の内側のピッチ円と外側のピッチ円との間のピッチ円の上方に、反応容器の収納凹部が複数個形成されていることを特徴とする撹拌機。
【請求項２】
前記複数個の永久磁石のうち、内側のピッチ円上に配置される永久磁石は４個であり、外側のピッチ円上に配置される永久磁石も４個であることを特徴とする請求項１記載の撹拌機。
【請求項３】
前記反応容器の収納凹部は６個であることを特徴とする請求項１又は２記載の撹拌機。
【発明の詳細な説明】
【０００１】
【発明の属する技術分野】
本発明は、いわゆるマグネチック攪拌機といわれる、駆動モータにより回転する永久磁石の上方に、該永久磁石に従動するマグネット撹拌子を入れた反応容器を配設し、永久磁石の回転に伴って反応容器に入れたマグネット撹拌子を回転し、反応容器内の液体を撹拌する攪拌機に関する。
【０００２】
【従来の技術】
近年、創薬研究において「コンビナトリアルケミストリー」と呼ばれる研究が注目されている。この研究では、一度に同一条件で多種類の試薬合成を行い、その後ロボットなどにより一斉に検定を行って、有効な候補化合物を検索するもので、試薬の合成に当たり、マグネチック攪拌機を複数台用いたり、反応容器を複数個備えた多連式のマグネチック攪拌機を用いたりしている。
【０００３】
【発明が解決しようとする課題】
ところが、マグネチック攪拌機を複数台用いる場合は、それぞれの駆動モータを同一条件にしなければならず、また、多連式の場合も、１つの反応容器に１つの駆動モータを用いているので、多数の駆動モータを同一条件に調整する必要がある。このため、部品点数が多く、組立工数も掛り、寸法が大きく、重量も重く、製品コストも割高であった。
【０００４】
そこで本発明は、１つの駆動モータで複数の反応容器の撹拌が行える撹拌機を提供することを目的としている。
【０００５】
【課題を解決するための手段】
上記した目的を達成するため、本発明の撹拌機は、１台の駆動モータと、円盤状の非磁性体でなる複数個の水平回転体と、各水平回転体に配置した複数個の永久磁石と、各水平回転体の上方に設けられた反応容器収納部とを有し、前記反応容器収納部に収納される反応容器内に入れられたマグネット撹拌子を、前記駆動モータにより各水平回転体を同期回転させることにより、前記永久磁石に従動させて前記反応容器内の液体を撹拌する撹拌機において、前記各水平回転体の２つのピッチ円上のうち、内側のピッチ円上に、磁極を中心方向に向けた永久磁石を等間隔で、かつ、隣接する永久磁石は磁極の向きを交互に入れ替えて配置し、外側のピッチ円上に、磁極を周方向に向けた永久磁石を、前記内側のピッチ円上に配置した永久磁石の間に等間隔で、かつ、磁極の向きを交互に入れ替えて配置して、前記複数の永久磁石のそれぞれの磁束線方向の位相角を一定量づつ変えて配置するとともに、前記反応容器収納部には、前記水平回転体の内側のピッチ円と外側のピッチ円との間のピッチ円の上方に、反応容器の収納凹部が複数個形成されていることを特徴とし、また、前記複数個の永久磁石のうち、内側のピッチ円上に配置される永久磁石は４個であり、外側のピッチ円上に配置される永久磁石も４個であり、さらに、前記反応容器の収納凹部は６個であること、さらに、前記内側のピッチ円と外側のピッチ円との間のピッチ円の上方に形成される収納凹部は６個であることを特徴としている。
【０００６】
【発明の実施の形態】
以下、本発明を、図面に示す実施形態例に基づいて、さらに詳細に説明する。撹拌機１は、１台の駆動モータ２と、４つの水平回転体３と、各水平回転体３の上方に設けられた反応容器収納部４とを有し、駆動モータ２と各水平回転体３間にベルト５を掛け渡して、駆動モータ２により各水平回転体３を同期回転するように構成している。
【０００７】
各水平回転体３は円盤状の非磁性体で、８個の永久磁石６を交互に２つのピッチ円上に配置している。４個の永久磁石６は、内側のピッチ円Ａ上に磁極を中心方向に向けて９０度の間隔で配置され、対向する永久磁石６，６は同一磁極を向合わせ、隣接する永久磁石６，６は磁極の向きを交互に入れ替えている。また、残りの４個の永久磁石６は、外側のピッチ円Ｂ上に磁極を周方向に向けて、前記ピッチ円Ａ上の永久磁石６の間に等間隔に配置され、磁極の向きを交互に入れ替えている。したがって、各永久磁石６は、図２に示されるように、それぞれの磁束線方向の位相角を９０度づつ変えて配置されている。
【０００８】
反応容器収納部４は、アルミブロックで形成され、前記水平回転体３のピッチ円Ａとピッチ円Ｂとの間のピッチ円Ｃ上に、反応容器７の収納凹部８が６個形成されており、収納凹部８の周囲には、ヒーター及び冷却パイプが組み込まれている。反応容器７は、試験管状で前記永久磁石６に従動するマグネット撹拌子９を入れて収納凹部８に挿入される。
【０００９】
このように構成することにより、各反応容器７に液体とマグネット撹拌子９を入れて、反応容器収納部４の各収納凹部８に挿入して配設し、駆動モータ２により水平回転体３を回転させると、図５に示されるように、反応容器７の下側を通過する各永久磁石６の磁束線方向が９０度づつ偏位し、これにより、反応容器７内のマグネット撹拌子９が回転して、反応容器７内の液体が撹拌される。
【００１０】
したがって、１台の駆動モータ２により回転する水平回転体３で６個の反応容器７内の液体を同一条件で撹拌でき、本実施形態例のように、１台の駆動モータ２で４つの水平回転体３を同期回転させることにより、２４個の反応容器７内の液体を同一条件で撹拌でき、駆動モータ２の調整は不要である。さらに、構造も簡単で部品点数が少なく、組立コストの圧縮が図れ、攪拌機全体をコンパクトなものとすることができ、メインテナンスも容易である。
【００１１】
尚、上記実施形態例では、水平回転体３に８個の永久磁石６を配置したもので説明したが、永久磁石６の数はこれに限定されるものではなく、また、同心円上に２列以上配置しても良い。さらに、反応容器７の数も上記実施形態例に限定されるものではない。
【００１２】
【発明の効果】
以上説明したように、本発明の撹拌機は、駆動モータにより回転する水平回転体の２つのピッチ円上に複数個の永久磁石をそれぞれの磁極の向きを変えて交互に配置し、該２つのピッチ円の中間ピッチ円上に、永久磁石に従動するマグネット撹拌子を入れた複数の反応容器を配設したので、水平回転体の回転により、反応容器の下側を通過する各永久磁石によって反応容器内のマグネット撹拌子が回転して、反応容器内の液体が撹拌されるから、１台の駆動モータにより回転する水平回転体で複数の反応容器内の液体を同一条件で撹拌でき、構造が簡単で部品点数が少なく、組立コストの圧縮が図れ、攪拌機全体をコンパクトなものとすることができ、メインテナンスも容易である。
【００１３】
また、複数の永久磁石のそれぞれの磁束線方向の位相角を一定量づつ変えて配置することにより、マグネット撹拌子の回転がスムースで効率の良い撹拌が行え、さらに、１つの駆動モータにより複数個の水平回転体を回転することにより、多数の反応容器内の液体を同一条件で撹拌できる。
【図面の簡単な説明】
【図１】  本発明の一実施形態例を示す撹拌機の一部断面図である。
【図２】  水平回転体上の永久磁石の配置を示す平面図である。
【図３】  撹拌機の平面図である。
【図４】  永久磁石の磁束線説明図である。
【図５】  回転する永久磁石の磁束線説明図である。
【符号の説明】
１…撹拌機、２…駆動モータ、３…水平回転体、４…反応容器収納部、５…ベルト、６…永久磁石、７…反応容器、８…収納凹部、９…マグネット撹拌子、Ａ，Ｂ，Ｃ，…ピッチ円
【図１】
0003919310.tif 000002
【図２】
0003919310.tif 000003
【図３】
0003919310.tif 000004
【図４】
0003919310.tif 000005
【図５】
0003919310.tif 000006